(57)【要約】【課題】この発明は、従来のトイレットペーパーホルダーの上ブタに取り付ける、ペーパーが片手でカットできるトイレットペーパーカッターに関するものである。【解決手段】既存のトイレットペーパーホルダー上ブタ（９）に取りつけるための構造を持つ任意形状（１）の両端、または片端に少なくともトイレットペーパーが通るほどの大きさをもった切断刃保持部（２）を設け、切断刃保持部（２）に、波刃付き切断刃（３）を、外側に回動または擺動する様に、枢設または固設し、切断刃保持部（２）か、波刃付き切断刃（３）のどちらか、またはその両方に、元の形に戻る為の復元機能を有する。【選択図】    図１
2004261553.tif 000002
【特許請求の範囲】
【請求項１】
（イ）  既存製品であるところの任意形状のトイレットペーパーホルダー上ブタ（９）に取りつけるための所要構造を持つ任意形状（１）の両端、または片端に少なくともトイレットペーパーが通るほどの大きさをもった任意形状の切断刃保持部（２）を設ける。
（ロ）  任意形状の切断刃保持部（２）に、任意形状の波刃付き切断刃（３）を、外側に回動または擺動する様に、枢設または固設する。
（ハ）  任意形状の切断刃保持部（２）か、任意形状の波刃付き切断刃（３）のどちらか、またはその両方に、元の形に戻る為の所要構造の復元機能を有する。以上のごとく構成された、トイレットペーパーカッター。
【請求項２】
任意形状の波刃付き切断刃（３）部分が板バネ状で構成された、請求項１のトイレットペーパーカッター。
【請求項３】
任意形状（１）および、任意形状の切断刃保持部（２）と、任意形状の波刃付き切断刃（３）がつながって一体である、（ロ）（ハ）を除く請求項１のトイレットペーパーカッター。
【請求項４】
任意形状（１）が従来のトイレットペーパーホルダーの上ブタ（９）と一体になった請求項１のトイレットペーパーカッター。
【請求項５】
任意形状（１）や、任意形状の切断刃保持部（２）が従来のトイレットペーパーホルダーカバーに付設された請求項１のトイレットペーパーカッター。
【発明の詳細な説明】
【０００１】
【発明の属する技術分野】
この発明は、従来のトイレットペーパーホルダーの上ブタに取り付ける、ペーパーが片手でカットできるトイレットペーパーカッターに関するものである。
【０００２】
【従来の技術】
従来のトイレットペーパーカッターは、トイレットペーパーホルダーに直接枢設されており、その機能もトイレットペーパーカッターたる上ブタの先端を片方の手でトイレットペーパーに押し当て、もう片方の手で引き上げるようにカットする方法であり、両手を使うものであった。
また、上ブタに穴を開け、そこにトイレットペーパーを通し上ブタ先端に設けた波刃でカットするトイレットペーパーホルダーもあったが、片手でトイレットペーパーをカットできるものの、片手で上ブタの穴にトイレットペーパーを通す事が非常に困難であった。
特に多数の人が使用する場合、常にトイレットペーパーが上ブタの穴に通っていない場合が多く、使用する毎、上ブタの穴にトイレットペーパーを通す作業が発生し、使いづらいものであった。
その上、上ブタを交換したり、トイレットペーパーホルダーそのものを交換する作業や工具を必要とし、設置する事が非常にめんどうくさいものであった。
また、現在設置されているトイレットペーパーホルダーを取り外さなければならず、気に入った意匠のもの等は、取り外す事に抵抗があった。
【０００３】
【発明が解決しようとする課題】
本発明はその欠点を除いて、トイレットペーパーが簡単に片手でカットできるトイレットペーパーカッターを開発しようとするものである。
【０００４】
【課題を解決するための手段】
いまその解決手段を図面に追いながら説明すれば
（イ）  既存製品であるところの任意形状のトイレットペーパーホルダー上ブタ（９）に取りつけるための所要構造を持つ任意形状（１）の両端、または片端に少なくともトイレットペーパーが通るほどの大きさをもった任意形状の切断刃保持部（２）を設ける。
（ロ）  任意形状の切断刃保持部（２）に、任意形状の波刃付き切断刃（３）を、外側に回動または擺動する様に、枢設または固設する。
（ハ）  任意形状の切断刃保持部（２）か、任意形状の波刃付き切断刃（３）のどちらか、またはその両方に、元の形に戻る為の所要構造の復元機能を有する。以上の構成からなるトイレットペーパーカッターである。
【０００５】
【発明の実施の形態】
本発明は、以上のような構造であるから、既存製品であるところの任意形状のトイレットペーパーホルダーを取り外さずに、トイレットペーパーホルダー上ブタ（９）に取り付けられる。
トイレットペーパー（８）は通常のように、トイレットペーパーホルダーに取り付けて使用し、その使用手順は、トイレットペーパーの先端（１０）の内側に指を入れ、そのまま任意形状の波刃付き切断刃（３）を、外側に開くように手前上方向に押しながらトイレットペーパーの先端（１０）を、波刃付き切断刃（３）の上を通る様に引っぱり出します。
適量のトイレットペーパー（１０）を引っぱり出したあと、下方向にひっぱると、任意形状（１）や、任意形状の切断刃保持部（２）、任意形状の波刃付き切断刃（３）の一部がトイレットペーパー（８）を押さえて回転を止め、切断刃（３）の波刃部分でカットされる。
カットされた残りのトイレットペーパーの先端（１０）は、任意形状の波刃付き切断刃（３）上にとどまり、次に引っぱり出すときにもつまみ易い。
もし、トイレットペーパーの先端（１０）といっしょに、任意形状の波刃付き切断刃（３）をつまんでしまっても、任意形状の波刃付き切断刃（３）は外側に開くので、トイレットペーパーの先端（１０）を、容易につまみ出せる。
【０００６】
なお、本発明の実施にあたって、次のごとき事ができる。
（イ）  既存製品であるところの任意形状のトイレットペーパーホルダー上ブタ（９）に取りつけるための所要構造を、任意形状（１）の上面または下面に、粘着両面テープ・ベルクロテープ・マグネット等のテープ類（５）を貼付ける事で、簡単に設置する事ができ、ベルクロテープ等は、布やタオル地でできた既存のトイレットペーパーホルダーカバーにも取り付けられるし、特に上ブタやトイレットペーパーホルダーカバーの表に取り付けるタイプは、上面が広告面等に使用できる。
（ロ）  既存製品であるところの任意形状のトイレットペーパーホルダー上ブタ（９）に取りつけるための所要構造を、任意形状（１）の上面または下面に、吸盤（６）を任意数設ける事で、簡単に設置する事ができ、特に上ブタの表に取り付けるタイプは上面が広告面等に使用できる。
（ハ）  既存製品であるところの任意形状のトイレットペーパーホルダー上ブタ（９）に取りつけるための所要構造を、任意形状（１）の上面または下面に、上ブタ（９）をはさむ構造の任意形状のクリップ（７）を任意数設ける事で、簡単に設置する事ができ、特に上ブタの表に見えるクリップ（７）部分は上面が広告面等に使用できる。
（ニ）  任意形状の波刃付き切断刃（３）部分全体を板バネ状で構成すると、構造を簡素化でき、低い生産コストが見込める。
（ホ）  任意形状（１）および、任意形状の切断刃保持部（２）と、任意形状の波刃付き切断刃（３）がつながった一体構造にすると、開口部（１１）にトイレットペーパーは通しにくくなるが、片手でカットする機能や、既存製品であるところの任意形状のトイレットペーパーホルダー上ブタ（９）に、簡単に設置することができる機能はそのままで、構造を簡素化でき、低い生産コストが見込める。
（ヘ）  任意形状（１）や、任意形状の切断刃保持部（２）が従来のトイレットペーパーホルダーの上ブタ（９）と一体構造にすることで、この構造をもつトイレットペーパーホルダーを最初から設置しておけば、なお面倒が無い。
（ト）  任意形状（１）や、任意形状の切断刃保持部（２）を従来のトイレットペーパーホルダーカバーに付設しておけば、本考案の機能と同時に従来のトイレットペーパーホルダーカバーの機能も得られる。
（チ）  任意形状（１）や、任意形状の切断刃保持部（２）が従来のトイレットペーパーホルダーの上ブタ（９）と一体構造で、任意形状の波刃付き切断刃（３）部分全体を板バネ状で構成すると、構造を簡素化でき、低い生産コストが見込める。
（リ）  任意形状（１）や、任意形状の切断刃保持部（２）が従来のトイレットペーパーホルダーカバーに付設されており、任意形状の波刃付き切断刃（３）部分全体を板バネ状で構成しても、同様の効果が得られる。
（ヌ）  任意形状の切断刃保持部（２）か、任意形状の波刃付き切断刃（３）のどちらか、またはその両方に、元の形に戻る為の復元機能として、スプリングや板バネ、ゼンマイ、等々のバネ構造や、ゴム等が考えられるが、その形状や素材を問わず、機能及び効果は変わらない。
（ル）  任意形状の切断刃保持部（２）か、任意形状の波刃付き切断刃（３）のどちらか、またはその両方に、トイレットペーパーを押さえる為の任意形状の突起（４）、または同じ機能がある板面を設けると、トイレットペーパーをカットする際、さらに確実にトイレットペーパーを押さえることができる。
（ヲ）  任意形状の波刃付き切断刃（３）を、上方向に開く様、任意形状の切断刃保持部（２）に付設しても機能及び効果は変わらない。
【０００７】
【発明の効果】
したがって、既存トイレットペーパーホルダー上ブタのほとんど全てに、工具も使わず簡単に設置でき、片手でトイレットペーパーを引き出しカットできるトイレットペーパーカッターである。
さらに、片手でトイレットペーパーを取り付けられる既存のトイレットペーパーホルダーに取り付ければ、トイレットペーパーの取り付けからカットまで、その全てを片手で行うことができる。
【図面の簡単な説明】
【図１】本発明の斜視図
【図２】本発明の使用斜視図１
本発明を、既存のトイレットペーパーホルダーに設置したところ。
【図３】本発明の使用斜視図２
トイレットペーパーの先端を、指１本で引き出そうとしたところ。
【図４】本発明の使用斜視図３
トイレットペーパーの先端が、切断刃（３）の上に出たところで、待機状態。
【図５】本発明の使用斜視図４
トイレットペーパーをカットしようとしたところ。
【図６】本発明の他の実施例の斜視図１
【図７】本発明の使用断面図１
トイレットペーパーの使いはじめの状態。
【図８】本発明の使用断面図２
トイレットペーパーの使い終わり（少ない）の状態。
【図９】本発明の他の実施例の斜視図２
【図１０】本発明の他の実施例の斜視図３
【図１１】本発明の他の実施例の斜視図４
【図１２】本発明の他の実施例の斜視図５
【図１３】本発明の他の実施例の斜視図６
【図１４】本発明の他の実施例の斜視図７
【図１５】本発明の他の実施例の斜視図８
【符号の説明】
１はトイレットペーパーホルダー上ブタに取りつけるための所要構造を持つ任意形状部
２は切断刃保持部
３は波刃付き切断刃
４は突起
５は粘着両面テープ・ベルクロテープ・マグネット等のテープ類
６は吸盤
７は上ブタをはさむ構造のクリップ
８はトイレットペーパー
９は既存のトイレットペーパーホルダーの上ブタ
１０はトイレットペーパーの先端
１１は開口部
１２は従来のトイレットペーパーホルダーカバー
【図１】
2004261553.tif 000003
【図２】
2004261553.tif 000004
【図３】
2004261553.tif 000005
【図４】
2004261553.tif 000006
【図５】
2004261553.tif 000007
【図６】
2004261553.tif 000008
【図７】
2004261553.tif 000009
【図８】
2004261553.tif 000010
【図９】
2004261553.tif 000011
【図１０】
2004261553.tif 000012
【図１１】
2004261553.tif 000013
【図１２】
2004261553.tif 000014
【図１３】
2004261553.tif 000015
【図１４】
2004261553.tif 000016
【図１５】
2004261553.tif 000017